(57)【要約】【課題】合成器を用いることなく複数の映像信号をマルチ構成された表示装置に表示する。【解決手段】主映像信号と、主映像信号変更サイズと、分割領域割り当て情報と、を自身の後段にデイジーチェーン接続された表示装置に送信する第１送信部と、従映像信号が分割された領域を表す分割位置情報を得る分割位置情報生成部と、主映像信号と従映像信号とを含む映像をマルチスクリーン設置される複数の表示装置全体で表示する場合における従映像信号の表示画面上における位置を表す表示位置を得る表示位置生成部と、従映像信号と、従映像信号の画面サイズをマルチスクリーン設置に対応したサイズに変更する変更サイズを表す従映像信号変更サイズと、分割位置情報と、表示位置とを、後段に接続された表示装置に送信する第２送信部と、を有する。【選択図】図１
2015172707.tif 000002
【特許請求の範囲】
【請求項１】
映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信する第１送信部と、
前記主映像信号と前記映像信号発生装置から得られる１または複数の従映像信号とを含む映像を前記マルチスクリーン設置に応じて分割した際に、前記従映像信号が分割された領域を表す分割位置情報を得る分割位置情報生成部と、
前記主映像信号と前記従映像信号とを含む映像を前記マルチスクリーン設置される複数の表示装置全体で表示する場合における従映像信号の表示画面上における位置を表す表示位置を得る表示位置生成部と、
前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信する第２送信部と、
を有する表示制御装置。
【請求項２】
前記表示位置生成部は、
前記主映像信号と前記従映像信号とを含む映像を、前記マルチスクリーン設置される複数の表示装置全体で表示するサイズに変更し、当該サイズが変更された後の映像を前記マルチスクリーン設置される複数の表示装置の各設置位置に応じて分割し、分割された領域を前記表示装置のそれぞれに割り当て、当該割り当てられた映像に前記従映像信号に対応する領域が含まれる場合には、当該割り当てられた領域に含まれる従映像信号の表示画面上における位置を表す表示位置を得る
ことを特徴とする請求項１に記載の表示制御装置。
【請求項３】
請求項１または２に記載の表示制御装置を有し、
前記変更サイズに従って変更された主映像信号のうち分割領域割り当て情報に対応する領域の映像を表示部に表示するとともに、前記主映像信号が自身の表示装置に表示が割り当てられたか否かに応じて、前記従映像信号を前記従映像信号変更サイズと、前記分割位置情報と、前記表示位置とに基づいて、自身の表示部に表示する出力映像制御部
を有することを特徴とする表示装置。
【請求項４】
映像信号発生装置から供給される主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の前段にデイジーチェーン接続された表示制御装置から受信する第１受信部と、
１または複数の従映像信号と、前記主映像信号と前記映像信号発生装置から得られる従映像信号とを含む映像を前記マルチスクリーン設置に応じて分割した際に、前記従映像信号が分割された領域を表す分割位置情報と、前記主映像信号と前記従映像信号とを含む映像を前記マルチスクリーン設置される複数の表示装置全体で表示する場合における従映像信号の表示画面上における位置を表す表示位置と、前記従映像信号の画面サイズを前記マルチスクリーン設置に対応したサイズに変更する変更サイズを表す従映像信号変更サイズと、を自身の前段にデイジーチェーン接続された表示制御装置から受信する第２受信部と、
前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示する出力映像制御部と、
を有することを特徴とする表示装置。
【請求項５】
前記出力映像制御部は、前記従映像信号を前記表示部のサブ画面に表示することを特徴とする請求項３または請求項４記載の表示装置。
【請求項６】
直列に接続された複数の表示装置から構成されるマルチモニタシステムであって、
前記複数の表示装置のうちマスターである表示装置は、
映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信する第１送信部と、
前記主映像信号と前記映像信号発生装置から得られる１または複数の従映像信号とを含む映像を前記マルチスクリーン設置に応じて分割した際に、前記従映像信号が分割された領域を表す分割位置情報を得る分割位置情報生成部と、
前記主映像信号と前記従映像信号とを含む映像を前記マルチスクリーン設置される複数の表示装置全体で表示する場合における従映像信号の表示画面上における位置を表す表示位置を得る表示位置生成部と、
前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信する第２送信部と、
前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示する出力映像制御部と、を有し、
前記複数の表示装置のうちスレイブである表示装置は、
前記主映像信号と、前記主映像信号変更サイズと、前記分割領域割り当て情報と、を自身の前段に接続された表示装置から受信する第１受信部と、
前記従映像信号と、前記分割位置情報と、前記表示位置と、前記従映像信号変更サイズと、を自身の前段にデイジーチェーン接続された表示装置から受信する第２受信部と、
前記変更サイズに従って変更された主映像信号のうち分割領域割り当て情報に対応する領域の映像を自身が備える表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身が備える表示部に表示する出力映像制御部と、
を有することを特徴とするマルチモニタシステム。
【請求項７】
映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信し、
前記主映像信号と前記映像信号発生装置から得られる１または複数の従映像信号とを含む映像を前記マルチスクリーン設置に応じて分割した際に、前記従映像信号が分割された領域を表す分割位置情報を得て、
前記主映像信号と前記従映像信号とを含む映像を前記マルチスクリーン設置される複数の表示装置全体で表示する場合における従映像信号の表示画面上における位置を表す表示位置を得て、
前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信する
ことを特徴とするマルチスクリーン設置された表示装置の表示制御方法。
【請求項８】
映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信し、
前記主映像信号と前記映像信号発生装置から得られる１または複数の従映像信号とを含む映像を前記マルチスクリーン設置に応じて分割した際に、前記従映像信号が分割された領域を表す分割位置情報を得て、
前記主映像信号と前記従映像信号とを含む映像を前記マルチスクリーン設置される複数の表示装置全体で表示する場合における従映像信号の表示画面上における位置を表す表示位置を得て、
前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信し、
前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示する
ことを特徴とする表示装置の表示方法。
【請求項９】
映像信号発生装置から供給される主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の前段にデイジーチェーン接続された表示制御装置から受信し、
１または複数の従映像信号と、前記主映像信号と前記映像信号発生装置から得られる従映像信号とを含む映像を前記マルチスクリーン設置に応じて分割した際に、前記従映像信号が分割された領域を表す分割位置情報と、前記主映像信号と前記従映像信号とを含む映像を前記マルチスクリーン設置される複数の表示装置全体で表示する場合における従映像信号の表示画面上における位置を表す表示位置と、前記従映像信号の画面サイズを前記マルチスクリーン設置に対応したサイズに変更する変更サイズを表す従映像信号変更サイズと、を自身の前段にデイジーチェーン接続された表示制御装置から受信し、
前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示する
ことを特徴とする表示装置の表示方法。
【発明の詳細な説明】
【技術分野】
【０００１】
本発明は、マルチスクリーン設置された表示装置の表示制御装置、表示装置、マルチモニタシステム、表示装置の表示制御方法、表示装置の表示方法に関する。
【背景技術】
【０００２】
パブリックディスプレイ（以下、ＰＤ）やプロジェクタ（以下、ＰＪ）では、マルチスクリーン設置（デイジーチェーン接続）をし、表示画面全体に大きな映像を表示する技術がある。このようなマルチスクリーン設置した場合、特別な映像の合成器を用いると、自由な大きさや位置で、別画面（ＰＩＰ（Ｐｉｃｔｕｒｅ  ｉｎ  Ｐｉｃｔｕｒｅ）、ＰＢＰ（Ｐｉｃｔｕｒｅ  ｂｙ  Ｐｉｃｔｕｒｅ）、ＰＯＰ（ＰＩＣＴＵＲＥ  Ｏｕｔｓｉｄｅ  Ｐｉｃｔｕｒｅ））の表示を行うことができる。表示装置をマルチスクリーン設置したシステムとしては、例えば、特許文献１に記載されている。このシステムでは、画面制御装置が、複数の要素画面によって構成されたマルチ表示器全体を制御することで、マルチ表示器に映像を表示する。
【０００３】
また、マルチスクリーン設置をした他の例として、マルチスクリーン設置されたＰＤ全体の画面上に別画面の表示を行う技術がある。例えば、２台の映像信号発生装置に合成器が接続され、この合成器に、ｎ台×ｍ台がデイジーチェーン接続された映像機器のうち先頭に対応する映像機器が接続されるシステムがある。このシステムにおいて、映像信号発生装置のそれぞれから、映像信号を合成器に入力する。合成器は、この２つの映像信号のうち、第１の映像信号の映像の中央に、第２の映像信号の映像を、第１の映像信号の映像よりも小さなサイズで表示する。ここで、映像のサイズとして、例えば、第１の映像信号の映像サイズが、１０２４×７６８であり、第２の映像信号の映像サイズが５１２×３８４である。合成器は、２つの映像信号発生装置から入力される映像信号を、互いの映像の中心位置が合うようにして、第１の映像信号の映像の上に第２の映像信号の映像を表示するように合成し、合成された映像を映像機器に供給する。ここでは、合成された後の１つの映像信号が映像機器に入力される。このような合成器は、必要に応じて、第２の映像信号を表示する位置や映像のサイズを変更して合成し、合成後の映像を映像機器へ送信する。映像機器は、入力された映像信号を、マルチスクリーン設置された画面全体のサイズに合うように拡大する。そして、映像機器は、拡大された映像のうち、マルチスクリーン設置された映像機器の表示画面全体における自身が表示する領域に応じた映像を表示する。
【先行技術文献】
【特許文献】
【０００４】
【特許文献１】特開２００４−１７７６１４号公報
【発明の概要】
【発明が解決しようとする課題】
【０００５】
しかしながら、上述の技術においては、ＰＤやＰＪをマルチスクリーン設置（デイジーチェーン）し、別画面表示をする場合には、合成器が必要となる。すなわち、複数の映像信号を合成器が合成して１つの映像信号を生成し、これを各映像機器に供給する必要がある。従って、マルチスクリーン設置する場合には、合成器を用いないと、自由な大きさや位置で、別画面の表示を行うことができないという課題がある。
【０００６】
本発明は、このような事情に鑑みてなされたもので、その目的は、映像信号を合成する合成器をマルチスクリーン設置された表示装置とは別に設置する必要がない表示制御装置、表示装置、マルチモニタシステム、表示装置の表示制御方法、表示装置の表示方法を提供することにある。
【課題を解決するための手段】
【０００７】
上述した課題を解決するために、本発明の第１態様は、映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信する第１送信部と、前記主映像信号と前記映像信号発生装置から得られる１または複数の従映像信号とを含む映像を前記マルチスクリーン設置に応じて分割した際に、前記従映像信号が分割された領域を表す分割位置情報を得る分割位置情報生成部と、前記主映像信号と前記従映像信号とを含む映像を前記マルチスクリーン設置される複数の表示装置全体で表示する場合における従映像信号の表示画面上における位置を表す表示位置を得る表示位置生成部と、前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信する第２送信部と、を有する。
【０００８】
また、本発明の第２態様は、上述の表示装置において、前記表示位置生成部は、前記主映像信号と前記従映像信号とを含む映像を、前記マルチスクリーン設置される複数の表示装置全体で表示するサイズに変更し、当該サイズが変更された後の映像を前記マルチスクリーン設置される複数の表示装置の各設置位置に応じて分割し、分割された領域を前記表示装置のそれぞれに割り当て、当該割り当てられた映像に前記従映像信号に対応する領域が含まれる場合には、当該割り当てられた領域に含まれる従映像信号の表示画面上における位置を表す表示位置を得るようにしてもよい。
【０００９】
また、本発明の第３態様は、上述の第１態様または第２態様の表示制御装置を有し、前記変更サイズに従って変更された主映像信号のうち分割領域割り当て情報に対応する領域の映像を表示部に表示するとともに、前記主映像信号が自身の表示装置に表示が割り当てられたか否かに応じて、前記従映像信号を前記従映像信号変更サイズと、前記分割位置情報と、前記表示位置とに基づいて、自身の表示部に表示する出力映像制御部を有する表示装置とすることができる。
【００１０】
また、本発明の第４態様は、映像信号発生装置から供給される主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示制御装置のそれぞれに分割領域を割り当てる分割領域割り当て情報と、を自身の前段にデイジーチェーン接続された表示装置から受信する第１受信部と、１または複数の従映像信号と、前記主映像信号と前記映像信号発生装置から得られる従映像信号とを含む映像を前記マルチスクリーン設置に応じて分割した際に、前記従映像信号が分割された領域を表す分割位置情報と、前記主映像信号と前記従映像信号とを含む映像を前記マルチスクリーン設置される複数の表示装置全体で表示する場合における従映像信号の表示画面上における位置を表す表示位置と、前記従映像信号の画面サイズを前記マルチスクリーン設置に対応したサイズに変更する変更サイズを表す従映像信号変更サイズと、を自身の前段にデイジーチェーン接続された表示制御装置から受信する第２受信部と、前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示する出力映像制御部と、を有する。
【００１１】
また、本発明の第５態様は、直列に接続された複数の表示装置から構成されるマルチモニタシステムであって、前記複数の表示装置のうちマスターである表示装置は、映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信する第１送信部と、前記主映像信号と前記映像信号発生装置から得られる１または複数の従映像信号とを含む映像を前記マルチスクリーン設置に応じて分割した際に、前記従映像信号が分割された領域を表す分割位置情報を得る分割位置情報生成部と、前記主映像信号と前記従映像信号とを含む映像を前記マルチスクリーン設置される複数の表示装置全体で表示する場合における従映像信号の表示画面上における位置を表す表示位置を得る表示位置生成部と、前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信する第２送信部と、前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示する出力映像制御部と、を有し、前記複数の表示装置のうちスレイブである表示装置は、前記主映像信号と、前記主映像信号変更サイズと、前記分割領域割り当て情報と、を自身の前段に接続された表示装置から受信する第１受信部と、前記従映像信号と、前記分割位置情報と、前記表示位置と、前記従映像信号変更サイズと、を自身の前段にデイジーチェーン接続された表示装置から受信する第２受信部と、前記変更サイズに従って変更された主映像信号のうち分割領域割り当て情報に対応する領域の映像を自身が備える表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身が備える表示部に表示する出力映像制御部と、を有することを特徴とする。
【００１２】
また、本発明の第６態様は、映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信し、前記主映像信号と前記映像信号発生装置から得られる１または複数の従映像信号とを含む映像を前記マルチスクリーン設置に応じて分割した際に、前記従映像信号が分割された領域を表す分割位置情報を得て、前記主映像信号と前記従映像信号とを含む映像を前記マルチスクリーン設置される複数の表示装置全体で表示する場合における従映像信号の表示画面上における位置を表す表示位置を得て、前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信することを特徴とする。
【００１３】
また、本発明の第７態様は、映像信号発生装置から得られる主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の後段にデイジーチェーン接続された表示装置に送信し、前記主映像信号と前記映像信号発生装置から得られる１または複数の従映像信号とを含む映像を前記マルチスクリーン設置に応じて分割した際に、前記従映像信号が分割された領域を表す分割位置情報を得て、前記主映像信号と前記従映像信号とを含む映像を前記マルチスクリーン設置される複数の表示装置全体で表示する場合における従映像信号の表示画面上における位置を表す表示位置を得て、前記従映像信号と、前記従映像信号の画面サイズを前記マルチスクリーン設置に対応したサイズに変更する変更サイズを表す従映像信号変更サイズと、前記分割位置情報と、前記表示位置とを、前記後段に接続された表示装置に送信し、前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示することを特徴とする。
【００１４】
また、本発明の第８態様は、映像信号発生装置から供給される主映像信号と、前記主映像信号の画面サイズをマルチスクリーン設置に対応したサイズに変更する変更サイズを表す主映像信号変更サイズと、前記変更サイズに従って変更された主映像信号を前記マルチスクリーン設置された各表示装置の各設置位置に応じて分割して前記表示装置のそれぞれに分割領域を割り当てる分割領域割り当て情報と、を自身の前段にデイジーチェーン接続された表示制御装置から受信し、１または複数の従映像信号と、前記主映像信号と前記映像信号発生装置から得られる従映像信号とを含む映像を前記マルチスクリーン設置に応じて分割した際に、前記従映像信号が分割された領域を表す分割位置情報と、前記主映像信号と前記従映像信号とを含む映像を前記マルチスクリーン設置される複数の表示装置全体で表示する場合における従映像信号の表示画面上における位置を表す表示位置と、前記従映像信号の画面サイズを前記マルチスクリーン設置に対応したサイズに変更する変更サイズを表す従映像信号変更サイズと、を自身の前段にデイジーチェーン接続された表示制御装置から受信し、前記変更サイズに従って変更された主映像信号のうち分割領域割り当て情報に対応する領域の映像を表示部に表示するとともに、前記従映像信号が自身の表示装置に表示が割り当てられたか否かに応じて、前記従映像信号を前記従映像信号変更サイズと、前記分割位置情報と、前記表示位置とに基づいて、自身の表示部に表示することを特徴とする。
【発明の効果】
【００１５】
以上説明したように、この発明によれば、特別な映像の合成器を用いることなく、任意の大きさや位置で別画面を表示することができる。
【図面の簡単な説明】
【００１６】
【図１】この発明の一実施形態による表示制御装置の構成を示す概略ブロック図である。
【図２】第２の実施形態における表示装置の機能を表す概略ブロック図である。
【図３】表示装置１００に対してスレイブとして接続される表示装置２００の概略構成を表す機能ブロック図である。
【図４】表示装置１００、表示装置２００の設置状態を表す図である。
【図５】表示装置１００、表示装置２００のそれぞれの動作を説明するフローチャートである。
【図６】サブ画面の表示位置と表示サイズについて説明する図である。
【図７】各表示装置に映像信号を表示する位置と大きさを説明する図である。
【図８】第３の実施形態におけるマルチスクリーン設置された表示システムについて説明する概念図である。
【図９】第４の実施形態における表示システムの構成を表す概念図である。
【図１０】第５の実施形態における表示システムの構成を表す概念図である。
【発明を実施するための形態】
【００１７】
以下、本発明の一実施形態による表示制御装置について図面を参照して説明する。
図１は、この発明の一実施形態による表示制御装置の構成を示す概略ブロック図である。
制御装置１０、第１送信部１１、分割位置情報生成部１２、表示位置情報生成部１３、第２送信部１４とを含んで構成される。
第１送信部１１は、映像信号発生装置から得られる主映像信号と、主映像信号の画面サイズをマルチスクリーン設置に対応したサイズに変更する変更サイズを表す主映像信号変更サイズと、変更サイズに従って変更された主映像信号をマルチスクリーン設置された各表示装置の各設置位置に応じて分割して表示装置のそれぞれに分割領域を割り当てる分割領域割り当て情報と、を自身の後段にデイジーチェーン接続された表示装置に送信する。
分割位置情報生成部１２は、主映像信号と映像信号発生装置から得られる１または複数の従映像信号とを含む映像をマルチスクリーン設置に応じて分割した際に、従映像信号が分割された領域を表す分割位置情報を得る。
表示位置生成部１３は、主映像信号と従映像信号とを含む映像をマルチスクリーン設置される複数の表示装置全体で表示する場合における従映像信号の表示画面上における位置を表す表示位置を得る。
第２送信部１４は、従映像信号と、従映像信号の画面サイズをマルチスクリーン設置に対応したサイズに変更する変更サイズを表す従映像信号変更サイズと、分割位置情報と、表示位置とを、後段に接続された表示装置に送信する。
【００１８】
この第１の実施形態における表示制御装置は、マルチ接続されたいずれかの表示装置内に備えられるようにすることもできるし、マルチ接続された各表示装置の外部に接続することもできる。
【００１９】
次に、第２の実施形態について説明する。図２は、第２の実施形態における表示装置の機能を表す概略ブロック図である。
表示装置１００において、マルチ接続制御部１０１は、マルチスクリーン設置される各表示装置と通信を行う。ここでは、例えば４台の表示装置がデイジーチェーン接続され、表示装置１００は、マスター表示装置であり、他の３台の表示装置がスレイブ表示装置として、表示装置１００の後段に接続される。また、マルチ接続制御部１０１は、スレイブ表示装置と通信を行い、マルチスクリーン設置された各表示装置の配列位置を表す配列情報を得て、第１映像信号割り当て部１１１と、分割位置情報生成部１２１とに出力する。
【００２０】
第１映像信号入力部１１０は、外部に接続される映像信号発生装置２０が出力する第１映像信号を入力する。
第１映像信号割り当て部１１１は、第１映像信号入力部１１０から得られる第１映像信号の画面サイズをマルチスクリーン設置に対応したサイズに変更する変更サイズを表す第１映像信号変更サイズと、変更サイズに従って変更された第１映像信号をマルチスクリーン設置された各表示装置の各設置位置に応じて分割して表示装置のそれぞれに分割領域を割り当てる分割領域割り当て情報とを生成する。この第１映像信号割り当て部１１１の機能は、一般的なマルチスクリーン設置における表示機能を利用することができる。
【００２１】
第１送信部１１２は、第１映像信号入力部１１０から得られる第１映像信号と、第１映像信号割り当て部１１１によって生成された第１映像信号変更サイズと、第１映像信号割り当て部１１１によって生成された分割領域割り当て情報と、を自身の後段にデイジーチェーン接続された表示装置に送信する。
【００２２】
第２映像信号入力部１２０は、外部に接続される映像信号発生装置３０が出力する第２映像信号を入力する。
分割位置情報生成部１２１は、第１映像信号と第２映像信号とを含む映像をマルチスクリーン設置に応じて分割した際に、第２映像信号が分割された領域を表す分割位置情報を生成する。
【００２３】
表示位置情報生成部１２２は、第１映像信号と第２映像信号とを含む映像をマルチスクリーン設置される複数の表示装置全体で表示する場合における第２映像信号の表示画面上における位置を表す表示位置を得る。より具体的に、例えば表示位置情報生成部１２２は、第１映像信号と第２映像信号とを含む映像を、マルチスクリーン設置される複数の表示装置全体で表示するサイズに変更し、当該サイズが変更された後の映像をマルチスクリーン設置される複数の表示装置の各設置位置に応じて分割し、分割された領域を表示装置のそれぞれに割り当て、当該割り当てられた映像に第２映像信号に対応する領域が含まれる場合には、当該割り当てられた領域に含まれる第２映像信号の表示画面上における位置を表す表示位置を生成する。
【００２４】
変更サイズ生成部１２３は、第２映像信号の画面サイズをマルチスクリーン設置に対応したサイズに変更する第２映像信号変更サイズを生成する。
【００２５】
分割位置情報生成部１２１、表示位置情報生成部１２２、変更サイズ生成部１２３の機能は、例えば、サブ画面表示機能を使用することもできる。ここで、サブ画面とは、表示装置おいて、ＰＩＰやＰＢＰを表示するための画面を表す。
【００２６】
第２送信部１２４は、第２映像信号と、第２映像信号変更サイズと、分割位置情報と、表示位置とを、後段に接続されたスレイブの表示装置に送信する。
【００２７】
第１映像制御部１２５は、第１映像信号を第１映像信号変更サイズに従ってサイズを変更し、変更された後の第１映像信号のうち、分割領域割り当て情報によって割り当てが定められた領域の映像を得る。
第２映像制御部１２６は、第２映像信号を変更サイズに従ってサイズを変更し、分割位置情報に従って分割し、表示位置情報に従って表示画面上に表示する表示位置を決定する。
【００２８】
出力映像制御部１２７は、変更サイズに従って変更された第１映像信号のうち分割領域割り当て情報に対応する領域の映像を表示部１２８に表示するとともに、第２映像信号が自身の表示装置に表示が割り当てられたか否かに応じて、第２映像信号を第２映像信号変更サイズと、分割位置情報と、表示位置とに基づいて、自身の表示部１２８に表示する。
【００２９】
表示部１２８は、映像を表示する機能を有し、例えば、表示装置１００が液晶表示装置である場合、液晶表示パネルである。また、表示装置１００がプロジェクタである場合、表示部１２８は、映像をスクリーンに投影するプロジェクタの光源や液晶パネル、投影レンズ等から構成され、映像信号をスクリーン上に投影する。
【００３０】
図３は、表示装置１００に対してスレイブとして接続される表示装置２００の概略構成を表す機能ブロック図である。
マルチ接続制御部２０５は、マスターである表示装置１００と、自身の後段に接続されるスレイブである表示装置と通信を行い、マルチスクリーン設置される各表示装置のうち自身が設置される位置を認識する。
【００３１】
第１受信部２１０は、映像信号発生装置から供給される第１映像信号と、前記第１映像信号の画面サイズをマルチスクリーン設置に対応したサイズに変更する変更サイズを表す第１映像信号変更サイズと、前記変更サイズに従って変更された第１映像信号を前記マルチスクリーン設置された各表示装置の各設置位置に応じて分割して前記表示装置のそれぞれに分割領域を割り当てる分割領域割り当て情報と、を自身の前段にデイジーチェーン接続された表示装置から受信する。
【００３２】
第２受信部２２０は、第２映像信号と、前記第１映像信号と映像信号発生装置から得られる第２映像信号とを含む映像を前記マルチスクリーン設置に応じて分割した際に、前記第２映像信号が分割された領域を表す分割位置情報と、前記第１映像信号と前記第２映像信号とを含む映像を、前記マルチスクリーン設置される複数の表示装置全体で表示するサイズに変更し、当該サイズが変更された後の映像を前記マルチスクリーン設置される複数の表示装置の各設置位置に応じて分割し、分割された領域を前記表示装置のそれぞれに割り当て、当該割り当てられた映像に前記第２映像信号に対応する領域が含まれる場合に得られる、当該割り当てられた領域に含まれる第２映像信号の表示画面上における位置を表す表示位置と、前記第２映像信号の画面サイズを前記マルチスクリーン設置に対応したサイズに変更する変更サイズを表す第２映像信号変更サイズと、を自身の前段にデイジーチェーン接続された表示装置から受信する。
【００３３】
第１映像制御部２２５は、第１受信部によって受信した各情報に基づいて、第１映像信号を第１映像信号変更サイズに従ってサイズを変更し、変更された後の第１映像信号のうち、分割領域割り当て情報によって割り当てが定められた領域の映像を得て出力映像制御部２２７に出力する。
【００３４】
第２映像制御部２２６は、第２映像信号を変更サイズに従ってサイズを変更し、分割位置情報に従って分割し、表示位置情報に従って表示画面上に表示する表示位置を決定する。
【００３５】
出力映像制御部２２７は、変更サイズに従って変更された第１映像信号のうち分割領域割り当て情報に対応する領域の映像を表示部に表示するとともに、第２映像信号が自身の表示装置に表示が割り当てられたか否かに応じて、第２映像信号を前記第２映像信号変更サイズと、前記分割位置情報と、前記表示位置とに基づいて、自身の表示部に表示する。
【００３６】
表示部２２８は、映像を表示する機能を有し、例えば、表示装置２００が液晶表示装置である場合、液晶表示パネルである。また、表示装置２００がプロジェクタである場合、表示部２２８は、映像をスクリーンに投影するプロジェクタの光源や液晶パネル、投影レンズ等から構成され、映像信号をスクリーン上に投影する。
【００３７】
このような表示装置２００は、デイジーチェーン接続される。また、最も下流の表示装置、すなわち、デイジーチェーン接続された最も後段の表示装置２００は、自身の後段に表示装置２００が接続されないので、自身の後段に接続される表示装置と通信を行う機能を有していてもよいが、自身の前段に接続された表示装置と通信を行う。
【００３８】
図４は、表示装置１００、表示装置２００の設置状態を表す図である。ここでは、１第の表示装置１００に対し、３台の表示装置２００がデイジーチェーン接続される。また、以下、このデイジーチェーン接続された表示装置２００を、表示装置１００に対して接続された順に表示装置２０１、表示装置２０２、表示装置２０３として説明する。表示装置１００と表示装置２０１、表示装置２０２、表示装置２０３は、２×２の画面構成となるように配置される。このとき２×２の画面構成のうち、表示装置１００は左上、表示装置２０１は右上、表示装置２０２は左下、表示装置２０３は右下の位置関係になるように設置される。
【００３９】
ここでは、第１映像信号を４台の画面全体に２×２のサイズに変更して拡大表示し、その画面全体の中央に第２映像信号が表示する場合を一例として説明する。第１映像信号は、マルチスクリーン設置された各表示装置によって、所定のサイズに拡大され、表示装置１００の表示領域１００ａ、表示装置２０１の表示領域２０１ａ、表示装置２０２の表示領域２０２ａ、表示装置２０３の表示領域２０３ａに表示される。ここでは、その第１映像信号の映像上の中央に、第２映像信号が、表示装置１００の表示領域１００ｂ、表示装置２０１の表示領域２０１ｂ、表示装置２０２の表示領域２０２ｂ、表示装置２０３の表示領域２０３ｂに表示される。
【００４０】
次に、上述した表示装置１００、表示装置２００の動作について説明する。ここでは、表示装置１００に３台の表示装置２００が、２×２（縦２台、横２台）のマルチスクリーン接続される場合について説明する。また、表示装置１００がマスター、表示装置２００がスレイブである。また、以下、３台の表示装置２００を、表示装置２０１、２０２、２０３と称して説明する。
図５は、表示装置１００、表示装置２００（表示装置２０１、２０２、２０３）のそれぞれの動作を説明するフローチャートである。
まず、表示装置１００の第１映像信号入力部１１０は、映像信号発生装置２０から第１映像信号を入力する（ステップＳ１１）。例えば、第１映像信号のサイズは、１０２４×７６８である。
第１送信部１１２は、第１映像信号入力部１１０に入力された第１信号映像信号を後段に接続された表示装置２０１に出力する。このとき、表示装置１００の第１映像信号割り当て部は、マルチ接続制御部１０１から得られる制御信号に基づいて、後段に接続された表示装置２０１、２０２、２０３の台数と各表示装置に割り当てられた識別情報（表示装置ＩＤ）、設置位置や接続状況（２×２）を認識し、第１映像信号変更サイズ（ここでは縦２倍、横２倍）と、分割領域割り当て情報（表示装置１００は左上、表示装置２０１は右上、表示装置２０２は左下、表示装置２０３は右下）を生成する。第１送信部１１２は、これら第１映像信号変更サイズ、分割領域割り当て情報を後段の表示装置に送信する（ステップＳ１２）。ここでは、表示装置ＩＤを指定することで、どの表示装置に対する分割領域割り当て情報であるかが特定できるようになっている。
【００４１】
これら第１映像信号、第１映像信号変更サイズ、分割領域割り当て情報は、表示装置２０１から表示装置２０２に供給され、表示装置２０３から表示装置２００ｃに供給され、それぞれの表示装置２０１、２０２、２０３によって受信される（ステップＳ２１）。
【００４２】
表示装置１００の第１映像制御部１２５は、入力された１０２４×７６８の第１映像信号を、第１映像信号変更サイズに従ってサイズを２×２倍（縦２倍、横２倍）に拡大して２０４８×１５３６のサイズに変更し、拡大された後の第１映像信号のうち、分割領域割り当て情報によって自身に割り当てが定められた領域の映像（２×２のうち、左上の領域）を得て、出力映像制御部１２７に出力する（ステップＳ１３）。
【００４３】
また、各スレイブの表示装置２０１、２０２、２０３のそれぞれは、第１映像制御部２２５は、前段の表示装置から入力された１０２４×７６８の第１映像信号を、第１映像信号変更サイズに従ってサイズを２×２倍に拡大して２０４８×１５３６のサイズに変更し、拡大された後の第１映像信号のうち、分割領域割り当て情報によって自身に割り当てが定められた領域の映像（表示装置２０１は右上、表示装置２０２は左下、表示装置２０３は右下）を得て、得られた領域の映像を出力映像制御部２２７に出力する（ステップＳ２２）。
【００４４】
次に、第２映像信号入力部１２０は、映像信号発生装置３０から第２映像信号を入力する（ステップＳ１４）。例えば、第２映像信号のサイズは、１０２４×７６８である。
表示装置１００は、サブ画面（第２映像信号を表示する領域）の初期情報（２×２の画面における位置、大きさであり、ここでは、マルチで表示する場合の中央に５１２×３８４の大きさで表示する設定値が予め入力されている）に従って計算を行う。また、表示装置１００は、分割位置情報生成部１２１によって分割位置情報を生成し、表示位置情報生成部１２２によって表示位置情報を生成し、変更サイズ生成部１２３によって変更サイズを生成し、第２映像信号とともに第２送信部１２４によって表示装置２０１へ送信する（ステップＳ１５）。これにより、サブ画面の位置情報と大きさ情報、表示する映像の位置情報と大きさ情報、第２映像信号が、表示装置２０１、２０２、２０３に順次送信され、それぞれの表示装置２０１、２０２、２０３によって受信される（ステップＳ２３）。
【００４５】
一方、表示装置１００の第２映像制御部１２６は、入力された１０２４×７６８の第２映像信号を、分割位置情報、表示位置情報、変更サイズに基づいて、サブ画面として表示する位置と大きさにし、そのうち表示する対象の領域の映像を出力映像制御部１２７へ出力する。出力映像制御部１２７は、第１映像制御部１２５から得られる映像と第２映像制御部１２６から得られる映像を表示するサイズ、位置に従って表示部１２８に表示する（ステップＳ１６）。
【００４６】
スレイブの表示装置（表示装置２０１、２０２、２０３）は、前段の表示装置から入力される第２映像信号を、分割位置情報、表示位置情報、変更サイズに基づいて、サブ画面として表示する位置と大きさにし、そのうち表示する対象の領域の映像を出力映像制御部２２７へ出力する。出力映像制御部２２７は、第１映像制御部２２５から得られる映像と第２映像制御部２２６から得られる映像を表示するサイズ、位置に従って表示部２２８に表示する（ステップＳ２４）。
【００４７】
このようにして、表示装置１００、表示装置２０１、表示装置２０２、表示装置２０３に映像が表示されると、図４のように、４台の表示装置の画面全体に第１映像信号が表示され、その中央に第２映像信号が表示される。
【００４８】
例えば、図４に示すように、２×２の４面マルチの中央に別画面（第２映像信号）を表示したい場合、表示装置１００（マスター）は、各スレイブ（表示装置２０１、２０２、２０３）用のサブ画面の位置や大きさの情報の計算を行い、各スレイブにデータを送信する。表示装置１００の第１映像制御部１２５は、表示画面のＸ＝５１２，Ｙ＝３８４の位置から、横５１２，縦３８４のサイズの別画面を生成し、出力映像制御部１２７に送る。また、表示装置２０１の第２映像制御部１２６は、表示画面のＸ＝０，Ｙ＝３８４の位置から、横５１２，縦３８４のサイズの別画面を生成し、表示装置２０１の出力映像制御部２２７に送る。表示装置２０２の第２映像制御部１２６は、表示画面のＸ＝５１２，Ｙ＝０の位置から、横５１２，縦３８４のサイズの別画面を生成し、表示装置２０２の出力映像制御部２２７に送る。表示装置２０２の第２映像制御部１２６は、表示画面のＸ＝０，Ｙ＝５１２の位置から、横５１２，縦３８４のサイズの別画面を生成し、表示装置２０２の出力映像制御部２２７に送る。ここで、別画面とは、マルチスクリーン表示を行う場合において、ＰＩＰやＰＢＰを表す。
【００４９】
表示装置２０１の出力映像制御部２２７は、メイン画面（第１映像信号）とサブ画面の映像（第２映像信号）を合成して、表示部２２８に送り、映像を表示する。ここで、メイン画面とは、表示装置において、通常、映像を表示するする画面である。
上記、メイン画面やサブ画面の表示位置と表示サイズの計算は、マスターとなる表示装置１００が行い、後段の表示装置２００（表示装置２０１、２０２、２０３）にデータを送信する。
【００５０】
次に、表示装置１００が行う各表示装置２００に第２映像信号を表示させるサブ画面の表示位置と表示サイズの計算について説明する。
図６は、サブ画面の表示位置と表示サイズについて説明する図である。
図６に示すように、一台の表示装置の表示画面上に、メイン画面（第１映像信号、符号ａ）上に、サブ画面（第２映像信号、符号ｉ）が表示されている状態を基準映像とする。ここでは、画面上に表示される第１映像信号のサイズは、１０２４×７６８であり、画面上に表示される第２映像信号のサイズは、５１２×３８４であるとする。そして、この基準映像を演算上で、必要なマルチ画面分、大きさを拡大させ、同時にメイン画面中央に表示されているサブ画面の大きさも拡大させる（符号ｂ）。例えば、演算上で、２×２倍の映像サイズ（２０４８×１５３６）に拡大する。
【００５１】
次に、拡大した映像（２×２）に対し、通常の画面のサイズに従って縦横に分割していき、サブ画面がその分割線（符号ｃ、ｄ）の境界にかかった場合には、次の映像機器での表示、すなわち、隣接する縦または横の表示装置に割り当てるものとして判定する。この判定を、分割された残りの映像のサイズが、１台の画面サイズかそれ以下になるまで繰り返し、どの画面の、どの位置にサブ画面が割り当たったかを計算で割り出す。そして、割り出して得られたサブ画面の画面上の位置情報と大きさ情報を、表示装置１００から後段の表示装置２０１、２０２、２０３へ送出力する。スレイブである各表示装置２０１、２０２、２０３は、その情報を元に、自分の担当部分をサブ画面上に描画する。
【００５２】
ここでは、基準映像内の第２映像信号の左上の領域（符号ｅ）は、表示装置１００の右下側の領域に表示するように割り当てられる（符号ｆ）。ここで、この表示装置１００の画面サイズは、１０２４×７６８であり、その画面上のｘ＝５１２、ｙ＝３８４の位置から５１２×３８４のサイズの画面の領域内に、割り当てられた第２映像信号が表示され、残りの領域には、第１映像信号が表示される。
また、例えば、基準画像内の第２映像の右上の領域（符号ｇ）は、表示装置２０１の左下の領域に表示するように割り当てられる。同様に、基準画像内の第２映像の左下の領域は、表示装置２０２の右上の領域に表示するように割り当てられ、基準画像内の第２映像の右下の領域は、表示装置２０３の左上の領域に表示するように割り当てられる。
【００５３】
メイン画面（第１映像信号）は、既知のロジックを使用し、単純に拡大、分割された映像を表示することができる。サブ画面（第２映像信号）について、具体的には、以下のような計算を行う。
１０２４×７６８の表示画面に１０２４×７６８の第１映像信号を表示するとともに、その中心に、５１２×３８４の別画面を表示する映像を生成し、これを２×２のマルチで表示する場合について、考察する。
【００５４】
ここでは、２×２であるため、基準映像（１０２４×７６８）の縦横をそれぞれ２倍する。拡大された基準映像において、第１映像信号のサイズは、２０４８×１５３６となり、第２映像信号のサイズは１０２４×７６８となる。
１×１（基準映像）の場合における別画面の座標（図６符号ｉ）は、（ｘ，ｙ）＝（２５６，１９２）であるので、この座標値も２倍し、（ｘ，ｙ）＝（５１２，３８４）を計算することで得る。
表示装置１００の画面上における描画範囲は（０，０）−（１０２３，７６７）であるため、この２倍して得られた（ｘ，ｙ）＝（５１２，３８４）は、表示装置１００の描画範囲の中に存在する。よって、別画面の左上の座標を起点とした映像は、表示装置１００の画面中から始まる。
【００５５】
次に、拡大された基準映像における別画面の横の大きさは、１０２４であるため、表示装置１００の画面におけるｘ＝５１２から描画すると、拡大された基準映像のｘ＝５１２を描画しようとすると表示装置１００の画面上から右側にはみ出してしまう。この場合、ｘ＝５１２の座標から始まる映像は、表示装置２０１の画面上に描画しなくてはならない。よって、表示装置２０１における第２映像信号の描画開始座標は（ｘ，ｙ）＝（０，３８４）であると計算によって得られ、その表示の横方向のサイズは、横５１２となる。また、縦方向のサイズは、表示装置１００と同様に、縦３８４となる。
【００５６】
次に、縦方向についても同様に計算する。拡大された基準映像における別画面の縦の大きさは、７６８であるため、ｘ＝３８３まで描画し、ｘ＝３８４から描画しようとすると、表示装置１００の画面上から下側にはみ出してしまう。この場合、ｘ＝３８４の座標から始まる映像は、表示装置２０２の画面上に描画しなくてはならない。よって、表示装置２０２における第２映像信号の描画開始座標は（ｘ，ｙ）＝（５１２，０）であると計算によって得られ、その表示の縦方向のサイズは、縦３８４となる。また、横方向のサイズは、表示装置１００と同様に、横５１２となる。
同様に表示装置２０３について計算すると、表示装置２０３における第２映像信号の描画開始座標は（ｘ，ｙ）＝（０，０）であり、その表示の縦方向のサイズは、縦３８４、横方向のサイズは、横５１２となる。
【００５７】
これらの計算結果を、図７に示す。図７は、各表示装置に映像信号を表示する位置と大きさを説明する図である。
図７において、ＰＩＰ  Ｐｏｓ  Ｘ／Ｙは、別画面の描画開始位置を表す。ＰＩＰ  Ｗｉｄｔｈは、別画面の横の大きさを表す。ＰＩＰ  Ｈｅｉｇｈｔは、別画面の縦の大きさを表す。Ｏｒｇ  Ｘは、元の別画面用映像の表示開始位置Ｘを表す。Ｏｒｇ  Ｙは、元の別画面用映像の表示開始位置Ｙを表す。
表示装置２０３は、（ｘ，ｙ）＝（０，０）の位置から、５１２×３８４で表示していた第１映像信号の（ｘ，ｙ）＝（２５６，１９２）の位置から、縦横を２倍して、５１２×３８４の大きさで表示すればよい。
なお、第２映像信号が１０２４×７６８のサイズであり、それを５１２×３８４に縮小して表示していた場合、元の映像信号の大きさから、Ｏｒｇ  Ｘ／Ｙを演算してもよい。その場合、表示装置２０３の（Ｏｒｇ  Ｘ，Ｙ）は、（５１２，３８４）となる。
【００５８】
次に、第３の実施形態を説明する。図８は、第３の実施形態におけるマルチスクリーン設置された表示システムについて説明する概念図である。この図において、表示装置１００（マスター）が計算する代わりに、表示装置１００の外部に接続される制御機器３００（例えば、コンピュータなど）を設け、制御機器３００から表示装置１００に対し、通信制御によって、各表示装置に対し、第１映像信号及び第２制御信号を表示させるようにしてもよい。この場合、図２における第１映像信号割り当て部１１１、分割位置情報生成部１２１、表示位置情報生成部１２２、変更サイズ生成部１２３の機能は、制御機器３００に設けられ、制御機器３００において演算が行われる。表示装置１００、２０１、２０２、２０３はデイジーチェーン接続され、この制御機器３００から得られる演算結果を表示装置１００が得て、後段の表示装置２０１、２０２、２０３に供給される。
【００５９】
次に、第４の実施形態について説明する。図９は、第４の実施形態における表示システムの構成を表す概念図である。この実施形態においては、第３の実施形態における表示装置の設置台数を１００台とした場合について説明する。
この実施形態では、第１映像信号を１００台の表示装置全体のサイズに拡大表示し、そのうち、右下側の一部の領域に第２映像信号を複数台の表示装置によって表示する。ここでは、５７〜６０（図９における符号（５７）から横方向に順に配置された符号（６０）に対応する表示装置），６７〜７０（図９における符号（６７）から横方向に順に配置された符号（７０）に対応する表示装置），７７〜８０（図９における符号（７７）から横方向に順に配置された符号（８０）に対応する表示装置），８７〜９０（図９における符号（８７）から横方向に順に配置された符号（９０）に対応する表示装置），９７〜１００（図９における符号（９７）から横方向に順に配置された符号（１００）に対応する表示装置）の表示装置２００が、第２映像制御部２２６によって、映像信号発生装置３０から出力された第２映像信号をサブ画面として表示する。この場合、符号（７８）、符号（８９）の表示装置等は、その画面全体が第２映像制御部２２６からの出力に基づく映像が表示される。
【００６０】
次に、第５の実施形態について説明する。図１０は、第５の実施形態における表示システムの構成を表す概念図である。
この実施形態では、第４の実施形態においてさらに、第１及び第２の映像信号とは別に、さらに第３映像信号を供給する映像信号発生装置４０が設けられる。例えば１００台の表示装置のうち５０台には、映像信号発生装置２０と３０の映像信号を入力し、残りの５０台の表示装置には、映像信号発生装置２０と４０の映像信号を入力することにより、三画面（３つの映像信号）の表示を行うこともできる。
この構成によれば、Ｘ台の表示装置を用いたＸ面マルチ画面において、Ｎ個の映像信号が入力される構成において、（Ｎ−１）個の別画面を表示することも可能となる。
【００６１】
例えば、この図１０においては、１００台の表示装置により構成されるマルチ画面（符号ａ）全体に映像信号発生装置２０からの映像信号を表示し、そのマルチ画面のうち左側の４０台の表示装置についてサブ画面表示機能を利用して映像信号発生装置３０からの映像信号を表示し（符号ｂ）、マルチ画面のうち右下側に配置された３２台の表示装置のサブ画面表示機能を利用して映像信号発生装置４０からの映像信号を表示する（符号ｃ）。ここでは、サブ画面表示機能を利用する表示装置のうち、一部の表示装置については、２つの映像信号発生装置から入力された映像信号を表示する場合もある。
【００６２】
既存の合成器を用いて複数の映像信号を合成せず、サブ画面表示機能を利用し、表示するサブ画面のサイズと位置を演算によって求め、第２映像信号のサイズと、第２映像信号のうち表示対象の領域を制御するようにした。これにより、合成器を利用して複数の映像信号から１つの映像信号を得るように合成することなく、２つの映像信号をマルチスクリーン設置された画面全体において表示することができる。
第２映像信号については、第２映像信号を表示するように割り当てられた表示装置において、サブ画面の表示機能によって表示される。従って、各表示装置のそれぞれによって、メイン画面に第１映像信号のうち自身に割り当てられた領域が表示され、サブ画面に第２映像信号のうち自身に割り当てられた映像が表示される。これにより、マルチスクリーン設置された画面全体として、第１の映像信号に応じた画面の一部に、第２の映像信号に応じた画面を表示することができるので、映像信号を合成する必要がなくなる。
【００６３】
このように、以上説明した第１から第５の実施形態によれば、マルチスクリーン設置された表示システムにおいて、表示装置のメイン画面とサブ画面の制御を、接続された総ての表示装置に対して行うことで、映像信号を合成することなく、複数の映像信号を表示することができる。また、外部の制御機器によって各表示装置に対し、自由なサイズと位置になるように、サブ画面表示の制御を行い、第１映像信号以外の映像信号を表示することができる。
【００６４】
また、図１における制御装置１０、図２における表示装置１００、図３における表示装置２００の機能を実現するためのプログラムをコンピュータ読み取り可能な記録媒体に記録して、この記録媒体に記録されたプログラムをコンピュータシステムに読み込ませ、実行することにより表示制御を行ってもよい。なお、ここでいう「コンピュータシステム」とは、ＯＳや周辺機器等のハードウェアを含むものとする。
【００６５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１０  制御装置
２０、３０、４０  映像信号発生装置
１１、１１２  第１送信部
１２、１２１  分割位置情報生成部
１３、１２２  表示位置情報生成部
１４、１２４  第２送信部
１００、２００、２０１、２０２、２０３  表示装置
１０１  マルチ接続制御部
１１０  第１映像信号入力部
１１１  第１映像信号割り当て部
１２０  第２映像信号入力部
１２３  変更サイズ生成部
１２５、２２５  第１映像制御部
１２６、２２６  第２映像制御部
１２７、２２７  出力映像制御部
１２８、２２８  表示部
２１０  第１受信部
２２０  第２受信部
【図１】
2015172707.tif 000003
【図２】
2015172707.tif 000004
【図３】
2015172707.tif 000005
【図４】
2015172707.tif 000006
【図５】
2015172707.tif 000007
【図６】
2015172707.tif 000008
【図７】
2015172707.tif 000009
【図８】
2015172707.tif 000010
【図９】
2015172707.tif 000011
【図１０】
2015172707.tif 000012